(57)【要約】      （修正有）【課題】皮膚の状態を高精度で測定し、かつ画像がぼやけることなく皮膚を撮影できる皮膚測定装置を提供する。【解決手段】皮膚測定装置１は、皮膚接触面を有し、皮膚の状態を測定する測定電極４と、撮影口５を有し、皮膚を撮影する撮影部と、測定電極４および撮影部を収容する本体部２と、本体部２を介して皮膚に所定の圧力を与える可動部３と、を備え、測定電極４の皮膚接触面と撮影口５とが、本体部２の同一表面である底面部８に配置されている。測定電極４の皮膚接触面と撮影口５とは、隣接して本体部２の同一表面である底面部８に配置されている。【選択図】図１
2019010358.tif 000002
【特許請求の範囲】
【請求項１】
皮膚接触面を有し、皮膚の状態を測定する測定電極と、
撮影口を有し、前記皮膚を撮影する撮影部と、
前記測定電極および前記撮影部を収容する本体部と、
前記本体部を介して前記皮膚に所定の圧力を与える可動部と、を備え、
前記皮膚接触面と前記撮影口とが、前記本体部の同一表面に配置されている皮膚測定装置。
【請求項２】
前記皮膚接触面と前記撮影口とが、隣接して前記本体部の同一表面に配置されている請求項１に記載の皮膚測定装置。
【請求項３】
前記皮膚接触面と前記撮影口とが、前記本体部の端部に面一に配置されている請求項１または２に記載の皮膚測定装置。
【請求項４】
前記本体部は、前記測定電極に測定を開始させる測定スイッチをさらに備え、前記可動部は、前記皮膚に所定の圧力を与える方向に可動して前記測定スイッチを押す、請求項１から３のいずれか一項に記載の皮膚測定装置。
【請求項５】
前記本体部の表面には、前記撮影口が配置されている位置の近傍に、前記撮影部の撮影を開始させる撮影スイッチを備えている請求項１から４のいずれか一項に記載の皮膚測定装置。
【請求項６】
前記本体部には、前記可動部の可動方向に伸縮する弾性体が備えられている請求項１から５のいずれか一項に記載の皮膚測定装置。
【請求項７】
前記可動部は、前記弾性体を伸縮させる固定部材を有する請求項６に記載の皮膚測定装置。
【請求項８】
前記固定部材の側面には、前記可動部の可動方向に延在した溝が形成されている請求項７に記載の皮膚測定装置。
【発明の詳細な説明】
【技術分野】
【０００１】
本発明は、皮膚測定装置に関し、特に、皮膚の状態を測定し、併せて皮膚を撮影することができる皮膚測定装置に関する。
【背景技術】
【０００２】
従来から、皮膚科領域の医療現場においては、皮膚科医などから簡単な方法で皮膚の状態を定量化および視覚化したいという要望があった。ところが、従来の皮膚の状態を測定する装置は、装置本体から突出した電極を皮膚に押し当てて測定するものであるため、電極から皮膚に与える圧力を一定にできず、測定値がばらついてしまうという問題があった。
【０００３】
このような問題に対し、例えば、特許文献１では、人の肌または髪の状態を規定する複数のパラメータを同時に測定するための装置として、肌または髪の状態診断装置であって、（ｉ）ハウジングと、（ｉｉ）水分を測定するための水分量計測器であって、ハウジング内で支持され、水分量を測定するために肌または髪に接触させることができる外表面を有し、それぞれの静電容量が誘電率差に対して反応する少なくとも２本の隣接した金属線を備える水分量計測器と、（ｉｉｉ）診断される肌または髪の領域の画像を電子的に記録するためにハウジング内に収容されるカメラであって、ハウジング内で支持され、電子的に記録可能な画像をハウジングの前端の光透過窓から受像するカメラとを備え、窓は水分量計測器の外表面によって囲まれる、診断装置が提案されている。
【先行技術文献】
【特許文献】
【０００４】
【特許文献１】特表２０１３−５３８６０１号公報
【発明の概要】
【発明が解決しようとする課題】
【０００５】
しかしながら、特許文献１の技術では、電極から皮膚に与える圧力を一定にすることは可能であるが、電極だけで皮膚に圧力を与えているため、皮膚の歪みがカメラの撮影口に届き、画像がぼやけたりピント調整が困難になったりするなどの問題がある。
【０００６】
本発明は、このような状況に鑑みてなされたものであり、皮膚の状態を高精度で測定し、かつ画像がぼやけることなく皮膚を撮影できる皮膚測定装置を提供することを目的とする。
【課題を解決するための手段】
【０００７】
上記課題を解決するため、本発明の一実施形態である皮膚測定装置は、皮膚接触面を有し、皮膚の状態を測定する測定電極と、撮影口を有し、皮膚を撮影する撮影部と、測定電極および撮影部を収容する本体部と、本体部を介して皮膚に所定の圧力を与える可動部と、を備え、皮膚接触面と撮影口とが、本体部の同一表面に配置されている。
【発明の効果】
【０００８】
本発明によれば、皮膚の状態を高精度で測定し、かつ画像がぼやけることなく皮膚を撮影できる皮膚測定装置を提供することができる。
【図面の簡単な説明】
【０００９】
【図１】本発明の第１実施形態に係る皮膚測定装置を示す正面図である。
【図２】本発明の第１実施形態に係る皮膚測定装置を示す底面図である。
【図３】本発明の第１実施形態に係る皮膚測定装置を示す側面図である。
【図４】本発明の第１実施形態に係る皮膚測定装置を示す断面図である。
【図５】本発明の第１実施形態に係る皮膚測定装置の動作を示す模式図である。
【図６】本発明の第２実施形態に係る皮膚測定装置の動作を示す模式図である。
【発明を実施するための形態】
【００１０】
以下、本発明を実施するための好適な実施形態について図面を参照して説明する。なお、以下に説明する実施形態は、本発明の代表的な実施形態の一例を示したものであり、これにより本発明の範囲が狭く解釈されることはない。また、本発明は、下記の各実施形態を互いに組み合わせることもできる。
【００１１】
＜１．第１実施形態に係る皮膚測定装置＞
図１から図５を用いて、本発明の第１実施形態に係る皮膚測定装置について説明する。本実施形態に係る皮膚測定装置は、皮膚の状態を電気的に計測し、かつ皮膚の表面を撮影できる皮膚測定装置（皮膚測定用プローブ）である。
【００１２】
（１−１）皮膚測定装置の構成例
まず、本実施形態に係る皮膚測定装置の構成について説明する。図１は、本実施形態に係る皮膚測定装置を示す正面図である。図２は、本実施形態に係る皮膚測定装置を示す底面図である。図３は、本実施形態に係る皮膚測定装置を示す側面図である。図４は、図３の線分Ａ−Ａ線で切断した本実施形態に係る皮膚測定装置の切断面を示す断面図である。本実施形態に係る皮膚測定装置１は、本体部２と、可動部３と、測定電極４と、カメラ２１と、を備えている。以下に、各部について詳細に説明する。
【００１３】
本体部２は、図１に示すように、正面から見た平面形状が略矩形で、下方部分が上方部分よりも幅が広く段差が形成されている。また、本体部２は、図２に示すように、底面形状が略楕円形状に形成されている。このような本体部２は、図１において、左側面上方に、カメラ２１の撮影を開始するプッシュタイプの撮影スイッチ６を有し、正面下方に略矩形のカメラ２１のピントを微調整するピント調整口７を有している。ピント調整口７は、ダイアルを回転してピントを調整するものである。さらに、本体部２は、皮膚に接触させる底面部８と、底面部８の反対に位置する上面部中央の背面側に位置する円柱状の端子９と、を有している。本体部２は、測定電極４およびカメラ２１等を収容して固定するために用いられる。なお、本体部２の上方部分と下方部分との間の段差は、可動部３が下方に可動した時のストッパーの役割を有している。また、端子９は、測定器本体から測定電極４への制御信号の受信や測定電極４から測定器本体への電気計測信号の送信に用いられる。
【００１４】
可動部３は、図１において、本体部２の上方部分の外周面を取り囲むように位置し、本体部に対して上下方向に可動可能に本体部２に取り付けられている。可動部３は、図１に示すように、一例として、本体部２正面から見て右側の高さが左側の高さよりも高く形成されている。可動部３は、後述するバネおよび固定部材と一体となって、本体部２と皮膚に所定の圧力を与えるために用いられる。
【００１５】
測定電極４は、図１に示すように、皮膚と接触する皮膚接触面を有し、本体部２の底面部８の正面から見て右側に固定されている。また、測定電極４は、図２および図４に示すように、底面形状が円形で全体形状が略円柱形に形成されている。測定電極４は、皮膚の状態を電気的に測定するために用いられる。
【００１６】
カメラ２１は、図４に示すように、略円柱状に形成されて、本体部２の内部下方に収容され、カメラ２１の下方に皮膚と接触する撮影口５を有している。撮影口５は、底面部８の正面から見て左側に固定されている。また、撮影口５は、図２および図４に示すように、底面形状が円形で全体形状が略円錐台形に形成されている。カメラ２１は、皮膚の表面を撮影するために用いられる。皮膚接触面と撮影口５とは、隣接して本体部２の端部である底面部８の同一表面に配置されている。
【００１７】
さらに、本体部２は、図４に示すように、その内部に収容したカメラ２１の上方に皮膚の状態の電気的な測定を開始する測定スイッチ２２を有している。測定スイッチ２２は、可動部３が下方に位置していることを検出し、可動部３が下方に下がった時に皮膚の測定を開始する。
【００１８】
また、本体部２には、図４に示すように、その内部の右側中央付近に、可動部３の可動方向に伸縮する弾性体であるバネ２３が備えられている。バネ２３は、測定電極４およびカメラ２１の両方から皮膚に対して同じ圧力をかけるために用いられる。
【００１９】
一方、可動部３は、バネ２３の伸縮方向に延在した略四角柱形状の固定部材２４を有している。固定部材２４の一端である下部中心には、バネ２３の上端が取り付けられている。固定部材２４の側面には、可動部３の可動方向に延在した溝２５が形成されている。固定部材２４は、可動部３の可動性を高めるために用いられる。さらに、溝２５を形成することにより、固定部材２４の可動をスムーズに行うことができる。
【００２０】
本実施形態に係る皮膚測定装置１の各部の寸法の一例について、図１および図２を用いて説明する。まず、端子９の上端から測定電極４および撮影口５の皮膚接触面までの高さａは、156.3ｍｍである。皮膚測定装置１の上面から測定電極４および撮影口５の皮膚接触面までの高さｂは、150ｍｍである。可動部３の右側面の高さｃは、70ｍｍである。可動部３の右側面の下端から本体部２の上方部分と下方部分との間の段差までの高さｄは、10ｍｍである。可動部３の左右の幅ｆは、76ｍｍであり、可動部３の左側面の高さｇは、35ｍｍである。測定電極４および撮影口５の高さｈは、2ｍｍである。そして、測定電極４の中心と撮影口５の中心との間隔ｉは、26ｍｍである。
【００２１】
なお、本実施形態では撮影スイッチ６が本体部２の正面から見て左側面上方に配置されているが、撮影スイッチの配置はこれに限らず、本体部２の表面の撮影口５が配置されている位置の近傍に撮影スイッチを備えることもできる。これにより、皮膚測定装置を持ったままカメラの撮影スイッチを押すことができるため、スイッチを押した時に皮膚測定装置が傾いて画像がぼやけたりするのを防止することができる。
【００２２】
（１−２）皮膚測定装置の動作手順の実施例１
次に、本実施形態に係る皮膚測定装置１の動作手順の実施例１について、図５を参照しながら説明する。図５は、本実施形態に係る皮膚測定装置の動作を示す模式図である。実施例１では、背中等の皮膚の大きな面積を測定する場合の皮膚測定装置１の動作手順について説明する。
【００２３】
第１工程として、図５Ａに示すように、皮膚測定装置１を測定対象者の皮膚４０に近づけ、測定電極４の皮膚接触面およびカメラ２１の撮影口５を測定部位に接触させる。
【００２４】
第２工程として、皮膚測定装置１は、撮影スイッチ６を押して皮膚４０の表面の測定部位を撮影し画像データを得る。
【００２５】
第３工程として、図５Ａに示すように、測定電極４および撮影口５を測定部位に接触させたまま、可動部３を測定部位方向に可動させる。具体的には、バネ２３を固定する本体部２の固定部３１に向かって、可動部３の固定部材２４がバネ２３を下方向に圧縮して変形させる。すると、本体部２の固定部３２に固定された測定スイッチ２２に向かって、可動部３の押し当て部３３が下方向に可動する。このとき、バネ２３が変形したことによって発生する力が、一体となって動く測定電極４および撮影口５を介して皮膚４０に加わっている。
【００２６】
第４工程として、図５Ｂに示すように、可動部３を押し切ると可動部３の下端が段差３５に接触して止まり、その位置で押し当て部３３が測定スイッチ２２に接触して、電気的計測の測定スイッチ２２が入る。
【００２７】
第５工程として、皮膚測定装置１は、例えば約１０秒後に、電気的計測を終えて、皮膚４０を測定した数値データを得る。なお、第１工程の後第３工程から第５工程を行い、その後第２工程を行っても良い。
【００２８】
（１−３）皮膚測定装置の動作手順の実施例２
次に、本実施形態に係る皮膚測定装置１の動作手順の実施例２について、図５を参照しながら説明する。実施例２では、ほくろや小さな炎症部等の皮膚の比較的小さな面積を測定する場合の皮膚測定装置１の動作手順について説明する。
【００２９】
第１工程として、皮膚測定装置１を測定対象者の皮膚４０に近づけ、カメラ２１の撮影口５を測定部位に接触させる。
【００３０】
第２工程として、皮膚測定装置１は、撮影スイッチ６を押して皮膚４０の表面の測定部位を撮影し画像データを得る。
【００３１】
第３工程として、皮膚測定装置１を皮膚４０の表面と平行な方向にずらし、測定電極４を測定部位に接触させる。
【００３２】
第４工程として、測定電極４を測定部位に接触させたまま、可動部３を測定部位方向に可動させる。具体的には、バネ２３を固定する本体部２の固定部３１に向かって、可動部３の固定部材２４がバネ２３を下方向に圧縮して変形させる。すると、本体部２の固定部３２に固定された測定スイッチ２２に向かって、可動部３の押し当て部３３が下方向に可動する。このとき、バネ２３が変形したことによって発生する力が、一体となって動く測定電極４および撮影口５を介して皮膚４０に加わっている。
【００３３】
第５工程として、図５Ｂに示すように、可動部３を押し切ると可動部３の下端が段差３５に接触して止まり、その位置で押し当て部３３が測定スイッチ２２に接触して、電気的計測の測定スイッチ２２が入る。
【００３４】
第６工程として、皮膚測定装置１は、例えば約１０秒後に、電気的計測を終えて、皮膚４０を測定した数値データを得る。なお、第３工程から第６工程を先に行った後、第１工程及び第２工程を行っても良い。
【００３５】
以上のように、本実施形態に係る皮膚測定装置１は、測定電極４の皮膚接触面と撮影口５とが、本体部２の同一表面である底面部８に配置されていることにより、皮膚の撮影と測定を連続的に行い、皮膚の状態を高精度で測定し、かつ画像がぼやけることなく皮膚を撮影することができる。また、皮膚測定装置１は、上記構成により、測定電極４の測定スイッチ２２を可動部３の可動と連動して押すことができるため、スイッチを押した時に皮膚測定装置１が傾いて画像がぼやけたり測定値に誤差が出たりするのを防止することができる。
【００３６】
なお、本実施形態に係る皮膚測定装置１は、皮膚４０の撮影と電気的計測をそれぞれ単体で行なったり、同時に行なったりすることができる。また、皮膚測定装置１は、皮膚４０の電気的計測を行う場合に、皮膚４０に一定の圧力をかけた状態で実施することができる。さらに、皮膚測定装置１は、皮膚４０の撮影のみを行う場合には圧力を付与せずに撮影することができる。なお、皮膚４０の撮影と電気的計測を同時に行う場合は、まず撮影口５を皮膚４０に接触させた状態で測定部位の撮影を行い、そのまま可動部３を可動させることで電気的計測を行うことができる。
【００３７】
＜２．第２実施形態に係る皮膚測定装置＞
図６を用いて、本発明の第２実施形態に係る皮膚測定装置について説明する。図６は、本実施形態に係る皮膚測定装置の動作を示す模式図である。本実施形態が第１実施形態と相違する点は、本体部に取り付けられたバネが圧縮バネではなく、引っ張りバネを用いている点である。
【００３８】
（２−１）皮膚測定装置の構成例
図６に示すように、本実施形態に係る皮膚測定装置６１は、本体部２の上端部に位置する固定部６２の下面と可動部３の固定部材２４の上面との間にバネ６２が固定されている。その他の構成は第１実施形態と同様であるため、説明を省略する。
【００３９】
（２−２）皮膚測定装置の動作手順の実施例
次に、本実施形態に係る皮膚測定装置６１の動作手順の一実施例について、図６を参照しながら説明する。図６は、本実施形態に係る皮膚測定装置の動作を示す模式図である。本実施例では、背中等の皮膚の大きな面積を測定する場合の皮膚測定装置６１の動作手順について説明する。
【００４０】
第１工程として、図６Ａに示すように、皮膚測定装置６１を測定対象者の皮膚４０に近づけ、測定電極４の皮膚接触面およびカメラ２１の撮影口５を測定部位に接触させる。
【００４１】
第２工程として、皮膚測定装置６１は、撮影スイッチ６を押して皮膚４０の表面の測定部位を撮影し画像データを得る。
【００４２】
第３工程として、図６Ａに示すように、測定電極４および撮影口５を測定部位に接触させたまま、可動部３を測定部位方向に可動させる。具体的には、バネ６３を固定する本体部２の固定部６２から下方向に向かって、可動部３の固定部材２４がバネ６３を引っ張って変形させる。すると、本体部２の固定部３２に固定された測定スイッチ２２に向かって、可動部３の押し当て部３３が下方向に可動する。このとき、バネ６３が変形したことによって発生する力が、一体となって動く測定電極４および撮影口５を介して皮膚４０に加わっている。
【００４３】
第４工程として、図６Ｂに示すように、可動部３を押し切ると可動部３の下端が段差３５に接触して止まり、その位置で押し当て部３３が測定スイッチ２２に接触して、電気的計測の測定スイッチ２２が入る。
【００４４】
第５工程として、皮膚測定装置６１は、例えば約１０秒後に、電気的計測を終えて、皮膚４０を測定した数値データを得る。なお、第１工程の後第３工程から第５工程を行い、その後第２工程を行っても良い。
【００４５】
上記構成により、本実施形態に係る皮膚測定装置６１は、第１実施形態と同様に、皮膚の撮影と測定を連続的に行い、皮膚の状態を高精度で測定し、かつ画像がぼやけることなく皮膚を撮影することができる。また、皮膚測定装置６１は、測定電極４の測定スイッチ２２を可動部３の可動と連動して押すことができるため、スイッチを押した時に皮膚測定装置６１が傾いて画像がぼやけたり測定値に誤差が出たりするのを防止することができる。
【符号の説明】
【００４６】
１、６１  皮膚測定装置
２  本体部
３  可動部
４  測定電極
５  撮影口
６  撮影スイッチ
７  ピント調整口
８  底面部
９  端子
２１  カメラ
２２  測定スイッチ
２３、６３  バネ
２４  固定部材
２５  溝
３１、３２、６２  固定部
３３  押し当て部
３５  段差
４０  皮膚
【図１】
2019010358.tif 000003
【図２】
2019010358.tif 000004
【図３】
2019010358.tif 000005
【図４】
2019010358.tif 000006
【図５】
2019010358.tif 000007
【図６】
2019010358.tif 000008